(57)【要約】【課題】本発明は刺激強度を漸増可能な電気治療装置を提供する。【解決手段】電気治療装置１内に電圧調整回路１２が設けられる。電圧調整回路１２は直流電源ユニット１１、制御ユニット１３及びパルス出力回路１５とそれぞれ互いに電気的に接続される。電圧調整回路１２は制御ユニット１３から送られてくる第１制御信号に従って、パルス出力回路１５に出力する電圧を調整することができ、またパルス出力回路１５が出力する電流パルス信号のパルス波形が振幅変動を呈することができるようにして、パルス出力回路１５が出力電流を少なくとも１つの電極シートに出力するようにして、小電流から所定値まで漸増させることができる。こうして本発明の電気治療装置は人体の経穴に対する電気治療装置１の刺激強度を徐々に弱から強にすることで、人の手が経穴を押圧する力や触圧を模倣することができる。【選択図】図２
2019136495.tif 000002
【特許請求の範囲】
【請求項１】
少なくとも直流電源ユニット、制御ユニット、パルス出力回路及び少なくとも１つの電極シート、電圧調整回路を含む、刺激強度を漸増可能な電気治療装置であって、
前記直流電源ユニットは前記電気治療装置が必要とする電力を提供することができ、
前記制御ユニットは複数の制御信号を前記パルス出力回路に伝送することができ、
前記パルス出力回路が前記直流電源ユニットから電力を受電した後に所定波形の電流パルス信号を生成し、且つ前記電流パルス信号を各前記電極シートに伝送させることができ、
前記電圧調整回路は前記直流電源ユニット、前記制御ユニット及び前記パルス出力回路とそれぞれ互いに電気的に接続され、且つ前記制御ユニットから送られてくる第１制御信号に従って、前記パルス出力回路に出力する電圧を調整することができ、前記パルス出力回路が出力する電流パルス信号のパルス波形が振幅変動を呈することができるようにさせて、出力電流を小電流から所定値まで徐々に増大させ、人体の経穴に対する各前記電極シートの刺激強度を徐々に弱から強にさせることで、人の手が経穴を押圧する力や触圧を模倣できることを特徴とする、電気治療装置。
【請求項２】
前記電圧調整回路は、
一端が前記制御ユニットから送られてくる第１制御信号を受信することができる第１レジスタと、
ベースは前記第１レジスタのもう一端に接続され、エミッタは接地され、コレクタは第２レジスタの一端に接続される第１トランジスタと、
ベースは前記第２レジスタのもう一端に接続され、エミッタは前記パルス出力回路と接続され、コレクタは前記直流電源ユニットから送られてくる電力を受電することができる第２トランジスタと、
一端は前記第２トランジスタのコレクタと接続されることができ、もう一端は前記第２トランジスタのベースと接続されることができる第３レジスタと、
一端は前記第２トランジスタのベースと接続され、もう一端は接地される第１コンデンサと、を含み、
前記第１レジスタが前記第１制御信号を受信する前に、前記第１レジスタはローレベルの状態にあり、且つ前記第１トランジスタはオフ状態を呈しており、前記第１コンデンサは飽和状態を呈しており、
前記第１レジスタが前記第１制御信号を受信した後に、前記第１トランジスタが導通状態を呈し、且つ前記第１コンデンサが放電を開始し、前記第１コンデンサの放電が完了に至ると、前記第１レジスタをローレベルの状態に回復させ、且つ前記第１コンデンサに充電を開始させ、
当該過程中、前記第２トランジスタが先にオフ状態から導通状態に変更され、次に導通状態から増幅状態に変更されて飽和状態に至り、こうして前記第２トランジスタを流れる電流を漸増させることができ、これによって前記パルス出力回路から出力されるパルス波形がローレベルから所定のハイレベルまで漸増できるようになっていることを特徴とする、請求項１に記載の電気治療装置。
【請求項３】
前記電圧調整回路、前記制御ユニット及び前記パルス出力回路のそれぞれと電気的に接続され、且つ前記制御ユニットから送られてくる第２制御信号を受信し、また前記電圧調整回路から送られてくる電力を受電することができ、
一端が前記制御ユニットから送られてくる前記第２制御信号を受信することができる第４レジスタと、
ベースは前記第４レジスタのもう一端に接続され、エミッタは接地され、コレクタは第５レジスタの一端に接続される第３トランジスタと、
ベースは前記第５レジスタのもう一端に接続され、コレクタは前記パルス出力回路と接続され、エミッタは前記第２トランジスタのエミッタと接続される第４トランジスタと、
一端は前記第４トランジスタのベースと接続され、もう一端は前記第４トランジスタのエミッタと接続される第６レジスタと、を含む出力制御回路をさらに含み、
前記第４レジスタが前記第２制御信号を受信した後に、前記第２制御信号がハイレベルである場合には、前記第３トランジスタと前記第４トランジスタを順に導通させて、前記第２制御信号がローレベルである場合には、前記第３トランジスタと前記第４トランジスタがオフ状態を呈するようにさせることで、前記出力制御回路が前記パルス出力回路に送る電力を調整し、これにより前記パルス出力回路から出力されるパルス波形を調整することを特徴とする、請求項２に記載の電気治療装置。
【請求項４】
前記直流電源ユニットと前記制御ユニットの間に設けられ、前記直流電源ユニットから送られてくる直流電流を受電することができ、且つ第１電圧で直流電流を前記制御ユニットに出力することができる昇圧型電圧安定化回路を更に含み、
前記直流電源ユニットから送られてくる直流電流の電圧が閾値を下回る状態において、前記昇圧型電圧安定化回路が直流電流に対して昇圧処理を行い、これにより前記第１電圧で直流電流を前記制御ユニットに出力し続けることができることを特徴とする、請求項３に記載の電気治療装置。
【発明の詳細な説明】
【技術分野】
【０００１】
本発明は電気治療装置に関し、特に様々な電流パルス信号のパルス波形を出力可能であり、いずれも刺激強度の漸増が可能な電気治療装置に関するものである。
【背景技術】
【０００２】
理学療法（Physiotherapy又はPhysical Therapy）は、現代及び従来医学において非常に重要な部分であり、主に光、電気、水、冷、熱、力などの物理的要素及び運動療法を利用して患者の問題を評価し治療するというものである。
その中で、「電気治療」は疼痛の軽減、筋肉の増強、筋委縮の緩和又は予防、筋痙攣の軽減及び皮膚の血液循環促進などの特性を有するため、ますます多くの人々が治療手段として「電気治療」を受け入れるようになっている。
【０００３】
現在「電気治療」には数多くの方法があり、例えば低周波電気刺激（又は経皮的末梢神経電気刺激という）、中周波干渉波などがある。
その中で、低周波電気刺激は周波数が1,000Hz以下の低周波（通常は0-100Hz）を使用し、実際の使用においては、電気治療装置が生成する電気治療用パルス信号（electrical nerve stimulation pulses）が人体の皮膚に貼られた電極シートを通過することで神経を刺激し、これにより鎮痛の効果を得るというものである。
中周波干渉波は、周波数が1,000-1,000,000Hzの間の周波数を使用するが、電磁波は10,000Hzを超えると熱が生じるため、臨床ではいずれも周波数が1,000Hz-10,000Hzの間の中周波が使用されておる。実際の使用においては、中周波干渉波では一般的に２組の電極シートが採用され、その周波数の差は0-100Hzの間であり、例えば2,100Hzと2,000Hzなどとし、通電後に２組の電極シートによって中周波が皮膚を通過し、深部組織で電流干渉が生じ、0-100Hzの低周波が発生するというものである。
このように、上記の方法により、適当な電流を利用して筋肉を刺激することで治療目的を効果的に達成することができる。
【０００４】
「電気治療」は疼痛の軽減（例えば腰痛、変形性関節炎、リウマチ様関節炎、靭帯損傷、腱炎、筋・筋膜性疼痛症候群など）に対し顕著な効果を有するため、多くの患者が治療期間に「電気治療」を併用し、薬（鎮痛剤など）の使用を減らすことができている。
さらに、「電気治療」は電気刺激を有し、筋肉を収縮させて筋肉や関節の活動能力を維持することができるため、医療従事者は電極シートを用いて適当な波形、振幅及び周波数の電磁波を伝導し、患者の要治療部位を刺激することができ、痛みの治療や病気のリハビリに「電気治療」が利用されている。
【０００５】
しかし、出願人は本発明の技術分野に長年従事し、長期に渡り関連技術の発展に注目してきた中で、従来の「電気治療」に使用されている電気治療装置の多くが直面する２つの問題に気付いた。
それは、（１）刺激の痛みが使用者に与える不快感や恐怖（即ち、快適度という問題）、及び（２）神経の調節（即ち、感覚（神経細胞）系の固定刺激に対する反応性が一定時間を経て変化（低減）する）又は使用者の体性神経系の調節麻痺（即ち、調節麻痺と言う問題）により、電気治療の刺激が疼痛の軽減や筋肉状態の促進に対して効果を発揮しなくなるという問題であり、各問題点については以下の説明の通りである。
【０００６】
（（１）「快適度（Comfort level）」問題）
図１を参照する。周知の電気治療装置は通常１組の所定波形セットに基づいて、対応する電気治療用パルス波形Ｓ１〜Ｓ３を出力する。
その中で、電気治療用パルス波形Ｓ１〜Ｓ３のそれぞれは複数のパルス電流によって形成され、またパルス波形Ｓ１〜Ｓ３のそれぞれは出力開始時にハイレベル（矩形波形態など）で固定されている。それはつまり使用者が突然強い刺激力を感じ、使用者に不快感や痛みを覚えさせてしまうということである。これはなぜ一部の使用者が痛みを恐れて「電気治療」を拒むかを説明するものと言える。
【０００７】
（（２）「調節麻痺（Accommodation）」問題）
一般的に、電気治療の期間に使用者に施す刺激の強度、波長、周波数及び波間休止時間が固定されている場合、使用者の刺激力強度の感知レベル、及び実際の固定された刺激力に対する神経や筋肉の反応は、刺激力の強度を実際には変えていなくても、時間と共に低下してしまう。
感覚及び体性神経の反応が徐々に低下することに対応するため、通常は使用者若しくは電気治療を施す理学療法士が強度を増やしたり、手動でパルス電流の周波数を変更したり、又は手動でパルス電流の波形を変更したりして神経の調節を防いでいるが、使用者や理学療法士にとって、電気治療装置を使用者に適合する相応しい方法で余分に手動操作しなければならないというのは非常に困難且つ不便である。
とはいえ手動で強度、周波数、波形及び休止時間を変更しないなら、若しくはそれが相応しく行われないなら、不快且つ効果のない治療経験となる可能性がある。
【０００８】
よって、本発明が提出する課題は、従来技術における上記の欠点を克服すること、また使用者に無痛且つ快適なＴＥＮＳ及びＥＭＳ刺激を提供すること、さらに使用者にプログラム化変調のＴＥＮＳ及びＥＭＳ刺激を提供することで、神経の調節を防ぎ、電気治療による疼痛の軽減や筋肉状態の増強をより効果的にすることである。
【発明の概要】
【発明が解決しようとする課題】
【０００９】
従来の電気治療製品の使用上存在する欠点である、人の手によるマッサージの弱から強の力を模倣できず、且つ単一で変化のない刺激強度が使用者の「調節麻痺（Accommodation）」を招くという問題に鑑み、発明者の多年に渡る研究開発経験を基に、多くの研究、テスト及び改良を重ねた結果、ついに100種類以上の独特な感覚の可変コンビネーション刺激を出力できるよう設計することに成功した。
この独特な装置はそれ自体に強度の漸増や波形の変調、周波数の変調、及び波間休止時間の変調を提供する能力を備えており、以下に開示する通り、全治療期間において調節麻痺又は体性神経の調節を防ぐことで、使用者に無痛、快適且つ緩和マッサージのような感覚を提供し、同時に装置の疼痛軽減や筋肉状態の増強効果を大幅に向上させている。
また、使用者・理学療法士が治療期間に強度、波形、周波数又は休止時間を手動で変更する必要はない。
本発明の電気治療装置は、従来技術において作用が類似するものよりも更に良好なユーザーエクスペリエンスを提供し、より良好に疼痛の軽減や筋肉状態の増強を提供することができる。
【課題を解決するための手段】
【００１０】
本発明は、刺激強度を漸増可能な電気治療装置を提供すること、また波形、周波数及び刺激波間休止時間の変調を提供することで、調節麻痺及び使用者の体性神経系の調節を防ぐことを目的としている。
電気治療装置は少なくとも直流電源ユニット、制御ユニット、パルス出力回路及び少なくとも１組の電極シートを含む。
その中で、直流電源ユニットは電気治療装置が必要とする電力を提供することができ、制御ユニットは複数の制御信号をパルス出力回路に伝送することができ、パルス出力回路が直流電源ユニットから電力を受電した後に所定波形の電流パルス信号を生成し、且つ電流パルス信号を各電極シートに伝送させることができる。
本発明は、電気治療装置がさらに電圧調整回路を含むことを特徴としている。
電圧調整回路は直流電源ユニット、制御ユニット及びパルス出力回路とそれぞれ互いに電気的に接続され、且つ制御ユニットから送られてくる第１制御信号に従って、パルス出力回路に出力する電圧を調整することができ、パルス出力回路が出力する電流パルス信号のパルス波形が振幅変動を呈することができるようにさせて、出力電流を小電流から所定値まで徐々に増大させ、人体の経穴に対する各電極シートの刺激強度を徐々に弱から強にさせることで、人の手が経穴を押圧する力や触圧を模倣することができる。
【００１１】
本発明の目的、技術的特徴及びその効果をより認識し理解できるよう、以下は実施例を図面と合わせて詳しく説明する。
【図面の簡単な説明】
【００１２】
【図１】周知の電気治療装置から出力される電気治療用パルス波形の概略図である。
【図２】本発明の電気治療装置のハードウェアブロック図である。
【図３】本発明の電気治療装置から出力される電気治療用パルス波形の概略図である。
【図４】本発明の電気治療装置の回路図である。
【図５】本発明の電圧調整回路の回路図である。
【図６】本発明の制御ユニットから出力される制御信号の概略図である。
【図７Ａ】周知の電気治療製品のパルス波形の概略図である。
【図７Ｂ】本発明の電気治療装置のパルス波形の概略図である。
【図８】本発明の電気治療装置の別のパルス波形の概略図である。
【図９】本発明の出力制御回路の回路図である。
【図１０】本発明の制御ユニットから出力される制御信号の概略図である。
【図１１Ａ】本発明が出力・使用可能なパルス波形の１形態である。
【図１１Ｂ】本発明が出力・使用可能なパルス波形の別形態である。
【図１１Ｃ】本発明が出力・使用可能なパルス波形の別形態である。
【発明を実施するための形態】
【実施例】
【００１３】
出願人は、人が経穴をマッサージする際には、毎回の押圧力を普通は弱から徐々に強くしており、これによって感じる痛みを軽減できるだけでなく、人が力に徐々に適応できるようにさせることで経穴マッサージの心地良さを与えていることに気付いた。そこで、出願人は上記の特性に基づき、本発明の刺激強度を漸増可能な電気治療装置を設計した。図２を参照する。
１つの実施例では、電気治療装置１は少なくとも直流電源ユニット１１（乾電池など）、制御ユニット１３、パルス出力回路１５及び少なくとも１つの電極シート１７を含む。
その中で、直流電源ユニット１１（電池など）は電気治療装置１の動作に必要な電力を提供することができ、制御ユニット１３は複数の制御信号をパルス出力回路１５に伝送することができ、パルス出力回路１５が直流電源ユニット１１から電力を受電した後に、所定波形の電流パルス信号を生成し、且つ電流パルス信号を各電極シート１７に伝送させることができ、各電極シート１７に対応する電流パルス信号を出力させて、対応するマッサージ手法を形成することができる。
ここで言う「マッサージ手法」とは、隣り合う電流パルス信号の間隔の変更、電流パルス信号の強弱の変更など、人の手によるマッサージを模倣する方式をいう。
【００１４】
ここで特に言及すべき点として、上記の電源ユニット１１、制御ユニット１３、パルス出力回路１５と電極シート１７などの接続関係は、大抵は周知の電気治療装置のハードウェアアーキテクチャであるが、本発明は別途に以下の技術的特徴を追加している。再び図２を参照する。
本実施例では、電気治療装置１はさらに電圧調整回路１２を含む。
その中で、電圧調整回路１２は直流電源ユニット１１、制御ユニット１３及びパルス出力回路１５とそれぞれ互いに電気的に接続され、また制御ユニット１３は第１制御信号を生成し、且つ電圧調整回路１２に伝送することができ、電圧調整回路１２は第１制御信号に従って、パルス出力回路１５に出力する電圧を調整することができ、パルス出力回路１５から出力される電流パルス信号のパルス波形Ｐ１、Ｐ２が振幅変動（図３の虚円が示す通り、ローレベルから所定のハイレベルまで漸増する）を呈するようにさせて、出力電量を小電流から所定値まで漸増させることができる。
この時、人体（経穴など）に対する各電極シート１７の刺激強度が徐々に弱から強になることで、人の手で経穴を押圧する力や触圧感覚が模倣される。
【００１５】
上記の技術的特徴を詳細に開示するため、図４及び図５を参照する。図４には図２のハードウェアアーキテクチャの回路図が含まれており、また図５には電圧調整回路１２の回路図が含まれている。
本実施例では、電圧調整回路１２は第１レジスタＲ１、第１トランジスタＱ１、第２トランジスタＱ２、第３レジスタＲ３及び第１コンデンサＣ１を含む。
その中で、第１レジスタＲ１の一端は制御ユニット１３から送られてくる第１制御信号を受信することができ、もう一端は第１トランジスタＱ１のベース（Ｂ、base）に接続され、また第１トランジスタＱ１のエミッタ（Ｅ、Emitter）は接地され、第１トランジスタＱ１のコレクタ（Ｃ、Collector）は第２レジスタＲ２の一端に接続され、第２レジスタＲ２のもう一端は第２トランジスタＱ２のベース（Ｂ）に接続され、第２トランジスタＱ２のエミッタ（Ｅ）はパルス出力回路１５に接続され、第２トランジスタＱ２のコレクタ（Ｃ）は直流電源ユニット１１から送られてくる電力を受電することができ、さらに、第３レジスタＲ３の一端は第２トランジスタＱ２のコレクタ（Ｃ）に接続されることができ、第３レジスタＲ３のもう一端は第２トランジスタＱ２のベース（Ｂ）及び第１コンデンサＣ１の一端に接続されることができ、第１コンデンサＣ１のもう一端は接地される。
【００１６】
続けて図４〜図６を参照する。図６は制御ユニット１３から出力される制御信号である。その中で、Ａ１の制御信号（波形）は電圧調整回路１２に出力され、Ａ２〜Ａ４の制御信号（波形）は初期マッサージ手法波形であり、その他の回路（パルス出力回路１５など）に出力され、これらの初期マッサージ手法波形によって使用者の欲する各種の最終マッサージ手法波形に組み合わせることが可能となる。
電圧調整回路１２の動作原理について説明する。
最初に第１レジスタＲ１が第１制御信号を受信する前に、第１レジスタＲ１はローレベル（若しくは低レベルという）の状態にあり、且つ第１トランジスタＱ１はオフ状態を呈しており、第１コンデンサＣ１は飽和状態を呈している。
その後、Ａ２〜Ａ４が初期マッサージ手法波形を出力する前に、Ａ１が先に１つのパルス（即ち第１制御信号）を第１レジスタＲ１に出力する。
この時、第１トランジスタＱ１は導通状態を呈しており、且つ第１コンデンサＣ１が放電を開始し、パルスが終了する前に第１コンデンサＣ１が放電を完了し、第１レジスタＲ１をローレベルの状態に回復させ、且つ第１コンデンサＣ１に充電を開始させ、上記過程中、第２トランジスタＱ２が先にオフ状態から導通状態に変更され、次に導通状態から増幅状態に変更されて飽和状態に至る。
第１コンデンサＣ１が充電を開始する時、Ａ２〜Ａ４が対応する初期マッサージ手法波形の出力を開始することで、第２トランジスタＱ２を流れる電流を漸増させることができる。これによってパルス出力回路１５から出力されるパルス波形（即ち最終マッサージ手法波形）が振幅変動（図３が示す通り）を呈することができるようにしている。
【００１７】
再び図４及び図５を参照する。上記の効果以外に、本発明の電圧調整回路１２はさらに別の効果も有している。それは即ち、電気治療装置１が出力を開始した瞬間に昇圧回路が出力されたパルス波形に引き起こす干渉を電圧調整回路１２が解消できるというものである。上記本発明の電気治療装置１と周知の電気治療製品との違いを詳しく示すため、図７Ａ〜７Ｂを参照する。
ここで特に言及すべき点として、図７Ａ〜７Ｂは周知の電気治療製品と電気治療装置１の波形出力画面をそのままキャプチャしたものであるため、試験の関連データや文字が見られる。以下では主にパルス波形Ｎ１、Ｎ２に対して行った分析を説明する故に、それらの試験データや文字については特に説明しないが、本案全体の技術的特徴に影響するものではないことを理解されたい。
一般的に、周知の電気治療製品中には通常、昇圧回路が設けられている。
図７Ａは周知の電気治療製品であるオムロン（OMRON）社から発売されているＨＶ−Ｆ１２８の試験結果である。その中で、使用者が周知の電気治療製品の段階ダイヤルを高く調節して電圧を上げた場合（例えば９２ボルトまで上げる）、図７Ａの虚線フレーム箇所からはっきりと分かるように、各パルス波形Ｎ１がいずれも干渉を受けており、且つ最初が高く後に安定しているが、この現象は人体に極度の不適応を引き起こすものである。それはつまり周知の電気治療製品が出力する各パルス波形Ｎ１が人体にとって極めて大きな衝撃感を生じさせるということであり、特に高齢者が周知の電気治療製品を使用した場合には、これによる損傷を一層容易に被ってしまう。
一方で、再び図７Ｂを参照すると、使用者が本発明の電気治療装置１の段階ダイヤル（図示しない）を高く調節して電圧を上げた場合（例えば８４ボルトまで上げる）、図７Ｂの虚線フレーム箇所からはっきりと分かるように、本発明の電気治療装置１から出力されるパルス波形Ｎ２は元々の緩やかに上昇する特性が保たれている。それはつまり本発明の電圧調整回路１２が、出力されたパルス波形Ｎ２に対して昇圧回路が引き起こす干渉を確実に解消できているということである。
【００１８】
ここで特に言及すべき点として、周知の電気治療製品中では通常、パルス出力回路１５に近似した回路構造しか設けられていない。それは主に周知の電気治療製品の「マッサージ手法」が非常に簡単で単一なため、複雑で多変的なパルス波形を出力する必要がないからである。
しかし、本発明が達成しようとする効果及び目的は、複雑で多変的な波形Ｑを出力可能にし、１００種類以上の「マッサージ手法」を模倣可能にして、使用者が感じる刺激強度を適切に変更することで「調節麻痺（Accommodation）」という問題の発生を低減できるようにすることであるため、出願人は特に電気治療装置１中に出力制御回路１４を追加し、出力制御回路１４をその後段のパルス出力回路１５と連係させることで、複雑で多変的なパルス波形Ｑ（図８の通り）を出力可能にしている。
図４及び図９を参照する。本実施例では、出力制御回路１４は電圧調整回路１２、制御ユニット１３及びパルス出力回路１５のそれぞれと電気的に接続され、且つ制御ユニット１３から送られてくる第２制御信号を受信し、また電圧調整回路１２から送られてくる電力を受電することができる。
【００１９】
再び図４及び図９を参照する本実施例では、出力制御回路１４は第４レジスタＲ４、第３トランジスタＱ３、第４トランジスタＱ４及び第６レジスタＲ６を含む。
その中で、第４レジスタＲ４の一端は制御ユニットから送られてくる第２制御信号を受信することができ、もう一端は第３トランジスタＱ３のベース（Ｂ）と接続されることができ、第３トランジスタＱ３のエミッタ（Ｅ）は接地され、第３トランジスタＱ３のコレクタ（Ｃ）は第５レジスタＲ５の一端と接続され、また第４トランジスタＱ４のベース（Ｅ）は第５レジスタＲ５のもう一端と接続され、また第４トランジスタＱ４のコレクタ（Ｃ）はパルス出力回路１５と接続され、第４トランジスタＱ４のエミッタ（Ｅ）は第２トランジスタＱ２のエミッタ（Ｅ）に接続され、第６レジスタＲ６の一端は第４トランジスタＱ４のベース（Ｂ）と接続されることができ、そのもう一端は第４トランジスタＱ４のエミッタ（Ｅ）に接続される。
【００２０】
出力制御回路１４の動作原理について説明すると、図４及び図９〜１０を参照すると、Ｂ１の制御信号（波形）は電圧調整回路１２に出力される。Ｂ２の制御信号（波形）は初期マッサージ手法波形であり、出力制御回路１４に出力される。Ｂ３〜Ｂ４の制御信号（波形）はその他の初期マッサージ手法波形であり、その他の回路（パルス出力回路１５など）に出力される。これらの初期マッサージ手法波形によって、パルス出力回路１５に図８のようなパルス波形（即ち最終マッサージ手法波形）を出力させている。
また、第４レジスタＲ４が第２制御信号（即ちＢ２が出力する波形）を受信した後に、第２制御信号がハイレベル（若しくは高レベルという）である場合には、第３トランジスタＱ３と第４トランジスタＱ４を順に導通させる。
一方、第２制御信号がローレベルである場合には、第３トランジスタＱ３と第４トランジスタＱ４がオフ状態を呈するようにさせることで、出力制御回路１４がパルス出力回路１５に送る電力（即ち波形形態）が調整される。これにより、パルス出力回路１５から出力されるパルス波形が調整され、こうして出力制御回路１４とパルス出力回路１５とを結合させることで、抓む、揉む、叩くなどのマッサージ手法及び弱から強までの力を効果的に模倣して、使用者に人がマッサージしているような感覚を与えることができる。同時に、各種のマッサージ手法を模倣するため、本発明の電気治療装置は、例えば図１１Ａ〜１１Ｃが示すように、パルス電流の刺激強度、周波数又は波形を調整して対応するパルス波形を出力できるようにしなければならず、そのうち図１１Ａでは、波形形態はＪ１、その周波数は４６Ｈｚであり、且つＪ１の波形持続時間は５．４秒であり、継続的に循環する。
図１１Ｂでは、波形形態はJ２、その周波数は３０Ｈｚであり、且つＪ２の波形持続時間は６．５秒であり、継続的に循環する。
図１１Ｃでは、波形形態はJ３、その周波数は１５Ｈｚであり、且つJ３の波形持続時間は６．５秒であり、継続的に循環する。
このように、使用者は同じ刺激強度だけを感じることがなく、これによって使用者の「調節麻痺（Accommodation）」という問題の発生を低減させており、且つ理学療法士がパルス強度を常に手動で調整する必要がなく、使用者に電気治療からもたらされる疼痛の軽減や筋肉状態の増強などの効果を感じさせることができる。
ここで言及すべき点として、図１１Ａ〜１１Ｃは異なるパルス波形を示しているに過ぎず、Ｊ１〜Ｊ３の波形もやはり上記の実施例における出力電流が小電流から漸増するという特徴を備えていることを理解されたい。
【００２１】
また、電気治療装置１の電池が低いｆ電力量にある場合に正常動作を維持できるようにするため、本発明はさらに電気治療装置１中に昇圧型電圧安定化回路１６を増設するが、図２及び図４を参照すると、昇圧型電圧安定化回路１６は直流電源ユニット１１と制御ユニット１３の間に設けられ、直流電源ユニット１１から送られてくる直流電流を受電することができ、且つ第１電圧（３ボルトなど）で直流電流を制御ユニット１３に出力することができる。直流電源ユニット１１から送られてくる直流電流の電圧が閾値を下回る状態において、昇圧型電圧安定化回路１６が直流電流に対して昇圧処理を行い、これにより第１電圧で直流電流を制御ユニット１３に出力し続けることができる。
ここで言及すべき点として、図４は昇圧型電圧安定化回路１６の回路図が別途に描かれており、その中で、「Ｂａｔｔ_３Ｖ」の箇所は直流電源ユニット１１（電池など）であり、「Ｖｃｃ_３Ｖ」の箇所は制御ユニット１３に接続され、回路が複雑になりすぎることを防いでいる。
【００２２】
上述は本発明の好適な実施例に過ぎず、本発明が主張する請求項の範囲を限定するものではない。当業者であれば本発明が開示した技術内容に基づいて同等の効果が得られる改変を容易に想到し得るものであり、それらはすべて本発明の保護範囲を逸脱しない。
【符号の説明】
【００２３】
Ｓ１〜Ｓ３              パルス波形
１                      電気治療装置
１１                    直流電源ユニット
１２                    電圧調整回路
１３                    制御ユニット
１４                    出力制御回路
１５                    パルス出力回路
１６                    昇圧型電圧安定化回路
１７                    電極シート
Ｐ１、Ｎ１、Ｎ２、Ｑ    パルス波形
Ｑ１                    第１トランジスタ
Ｑ２                    第２トランジスタ
Ｑ３                    第３トランジスタ
Ｑ４                    第４トランジスタ
Ｒ１                    第１レジスタ
Ｒ２                    第２レジスタ
Ｒ３                    第３レジスタ
Ｒ４                    第４レジスタ
Ｒ５                    第５レジスタ
Ｒ６                    第６レジスタ
Ｃ１                    第１コンデンサ
Ａ１〜Ａ４、Ｂ１〜Ｂ４  制御信号（波形）
Ｊ１〜Ｊ３              波形形態
【図１】
2019136495.tif 000003
【図２】
2019136495.tif 000004
【図３】
2019136495.tif 000005
【図４】
2019136495.tif 000006
【図５】
2019136495.tif 000007
【図６】
2019136495.tif 000008
【図７Ａ】
2019136495.tif 000009
【図７Ｂ】
2019136495.tif 000010
【図８】
2019136495.tif 000011
【図９】
2019136495.tif 000012
【図１０】
2019136495.tif 000013
【図１１Ａ】
2019136495.tif 000014
【図１１Ｂ】
2019136495.tif 000015
【図１１Ｃ】
2019136495.tif 000016